(57)【要約】【課題】  使用前に繰出機構をケーシングごと分解しなくとも簡単に繰出ロールの溝掃除が行えるし、またロール軸をケーシング内から抜き出した状態ではケーシング内が空になるので、肥料タンク内から落下口を通してケーシング内までを簡単かつ十分にクリーニングできる肥料散布機を得る。【解決手段】  肥料タンク１の落下口１ａに連繋される繰出機構２を、肥料タンク１に連設されるケーシング４と、このケーシング４の対向する両側壁の一側壁に貫挿支持されて内外に突出しかつその突出外軸部から駆動力が入力される駆動回転軸５と、この駆動回転軸５の前記突出内軸部にその先端側が脱着可能に係合して回転力が伝動されかつその軸方向に複数個の繰出ロール１４が脱着可能に挿着されるロール軸１１と、このロール軸１１に繰出ロール１４の止め用として挿着されかつロール軸１１がケーシング４の他側壁の孔１０から駆動回転軸５の突出内軸部に向かって挿入されたときに最終的に孔１０に嵌り込んでロール軸１１の基端側を回転可能に支持する蓋部材１６とで構成してなる。【選択図】    図１
2005080565.tif 000002
【特許請求の範囲】
【請求項１】
肥料タンクの落下口に繰出機構が連繋されるものであって、前記繰出機構を，前記肥料タンクに連設されるケーシングと、このケーシングの対向する両側壁の一側壁に貫挿支持されて内外に突出しかつその突出外軸部から駆動力が入力される駆動回転軸と、この駆動回転軸の前記突出内軸部にその先端側が脱着可能に係合して回転力が伝動されかつその軸方向に複数個の繰出ロールが脱着可能に挿着されるロール軸と、このロール軸に前記繰出ロールの止め用として挿着されかつロール軸が前記ケーシングの他側壁の孔から前記駆動回転軸の突出内軸部に向かって挿入されたときに最終的に前記孔に嵌り込んでロール軸の基端側を回転可能に支持する蓋部材とで構成したことを特徴とする肥料散布機。
【請求項２】
繰出ロールの代わりに、回転しないロールあるいは溝なしロールを使うことを特徴とする請求項１記載の肥料散布機。
【発明の詳細な説明】
【技術分野】
【０００１】
本発明は、肥料を散布するもので，肥料タンクの落下口に繰出機構が連繋される肥料散布機に関するものである。
【背景技術】
【０００２】
従来のこの種の肥料散布機は、肥料タンクの落下口から繰出機構に自然落下する肥料を繰出機構の繰出ロールが回転力により定量化して繰り出し、吐出部から散布するようになっている。
【発明の開示】
【発明が解決しようとする課題】
【０００３】
解決しようとする問題は、肥料タンク内の肥料は落下口から繰出機構に連続して自然落下している間は良いが、例えば散布作業が終了して繰出ロールの溝内に肥料が残った状態で時間がたつと、肥料が湿り気を帯びて繰出ロールの溝内で固まるので、次回の使用時に繰出ロールを回しても溝内に固まった肥料があるため正規の繰出量が得られないし，ひどいときには繰出ロールが回らなくなるために、繰出機構をケーシングごと分解して繰出ロールの溝内の掃除をしなければならず、使用前に大変な手間が掛かるという点である。
【課題を解決するための手段】
【０００４】
請求項１の発明は、肥料タンクの落下口に連繋される繰出機構を、肥料タンクに連設されるケーシングと、このケーシングの対向する両側壁の一側壁に貫挿支持されて内外に突出しかつその突出外軸部から駆動力が入力される駆動回転軸と、この駆動回転軸の前記突出内軸部にその先端側が脱着可能に係合して回転力が伝動されかつその軸方向に複数個の繰出ロールが脱着可能に挿着されるロール軸と、このロール軸に前記繰出ロールの止め用として挿着されかつロール軸が前記ケーシングの他側壁の孔から前記駆動回転軸の突出内軸部に向かって挿入されたときに最終的に前記孔に嵌り込んでロール軸の基端側を回転可能に支持する蓋部材とで構成したことを特徴とする。
【０００５】
請求項２の発明は、繰出ロールの代わりに回転しないロールあるいは溝なしロールを使うことを特徴とする。
【発明の効果】
【０００６】
請求項１の発明は、繰出ロールが挿着されるロール軸をケーシング内から蓋部材ごと抜き出して繰出ロールの溝掃除が行えるので、使用前に繰出機構をケーシングごと分解しなくとも簡単に繰出ロールの溝掃除が行えるし、またロール軸をケーシング内から抜き出した状態ではケーシング内が空になるので、肥料タンク内から落下口を通してケーシング内までを簡単かつ十分にクリーニングできるという効果がある。
【０００７】
請求項２の発明は、ロール軸の最少回転数には繰出能力の点から限度があるので最少繰出量が大幅に制限されるが、繰出ロールの代わりに回転しないロールあるいは溝なしロールを使うことによって、ロール軸の最少回転数でその最少繰出量を越えた少ない繰出量が得られるという効果がある。
【発明を実施するための最良の形態】
【０００８】
繰出ロールが挿着されるロール軸をケーシング内から蓋部材ごと抜き出せるようにすることにより、実現した。
【実施例】
【０００９】
図１は本発明機の一実施例を示す要部縦断側面図である。
図において、１は肥料タンク、２は肥料タンク１の落下口１ａに連設した繰出機構、３は繰出機構２の繰出口２ａに連設した散布通路で、送風機（図示せず）により矢印方向に送風されてここに繰り出される肥料を吐出部（図示せず）へと送出する。
【００１０】
４は繰出機構２のケーシング、５はケーシング４の対向する両側壁の一側壁に軸受部材６により貫挿支持した駆動回転軸、７は駆動回転軸５の突出外軸部に駆動力を入力するための伝動部材、８は駆動回転軸５の突出内軸部の先端に設けた芯軸部、９は駆動回転軸５の突出内軸部にあってその芯軸部８の基部外周に設けた外向き係合部、１０はケーシング４の対向する両側壁の他側壁に設けた孔、１１は孔１０からケーシング４内に挿入するロール軸、１２はロール軸１１の先端にあって芯軸部８が嵌り込む軸穴部、１３はロール軸１１の先端面にあって外向き係合部９に係合する内向き係合部、１４はロール軸１１にその軸方向に抜き差し可能に挿入保持（互いに回転しない状態）した複数個（図面では３個）の繰出ロール、１５は繰出ロール１４，１４間に挿入されて繰出ロール１４の溝を仕切るための仕切板（環状ゴム）、１６はロール軸１１に回転可能に挿着されて孔１０に嵌合固着する蓋部材、１７は蓋部材１６の止め具で、ケーシング４の他側壁の外面に回って止まるようになっている。
【００１１】
今、図示の状態で、駆動回転軸５が伝動部材７により回転されると、ロール軸１１は外向き係合部９，内向き係合部１３の係合により回転力が伝達されると共に先端側を芯軸部８，軸穴部１２により支持され基端側を蓋部材１６により支持される両端支持状態で回転するので、その外周の各繰出ロール１４がその溝により肥料タンク１の落下口１ａから自然落下する肥料を散布通路３に繰り出す。
【００１２】
このときケーシング４の孔１０に嵌合固着する蓋部材１６により各繰出ロール１４はロール軸１１上に位置決め保持され、しかも駆動回転軸５の回転が正しくロール軸１１に伝動されるので、各繰出ロール１４の回転による繰出量は計算通りのものとなる。なお、その際の止め具１７は蓋部材１６の抜けに対して安全装置的なものとなる。
【００１３】
繰出機構２において、繰出ロール１４の数，あるいはその外周溝の容積の異なる繰出ロール１４を変更して使用するようにすれば、繰出量の変更調節が自在に行えるし，また用途に合わせての繰出量を得ることも可能となる。
【００１４】
次に、図示の状態からロール軸１１を蓋部材１６ごと抜き出せる（勿論、止め具１７を回して外す）ので、ケーシング４内から抜き出したロール軸１１には繰出ロール１４があるのでそのまま各繰出ロール１４の溝掃除が簡単にできるし、逆にこの抜き出した状態ではケーシング４内が空になるので、肥料タンク１内からケーシング４内を通して散布通路３までを簡単かつ十分にクリーニングできる。
【００１５】
このように抜き出したロール軸１１をそのまま孔１０からケーシング４内に差し込むと、蓋部材１６が孔１０にきっちり嵌った状態では、軸穴部１２内に芯軸部８が嵌ると共に内向き係合部１３が外向き係合部９に係合する図示の状態に自然にきっちりと定着（固定）する。
【００１６】
ロール軸１１の最少回転数には繰出能力の点から限度があるので、各繰出ロール１４の溝（容積）を最少のものにしてもその最少繰出量をそれよりも少なくすることはできないが、一例として３個の繰出ロール１４と同様にロール軸１１と共に回転する溝なしロール（図示せず）を２個（１個でも良い）使用すれば、この溝なしロールの外周面に繰出用の溝がないことから前記した最少繰出量を大幅に少なくすることができるし，またロール軸１１と共に回転しないロール（図示せず）を２個（１個でも良い）使用しても、このロールには繰出用の回転力がないことから同様の効果が得られる。
【産業上の利用可能性】
【００１７】
本発明は、肥料を散布するものに広く活用できる。
【図面の簡単な説明】
【００１８】
【図１】本発明機の一実施例を示す要部縦断側面図である。
【符号の説明】
【００１９】
１：肥料タンク
１ａ：落下口
２：繰出機構
２ａ：繰出口
３：散布通路
４：ケーシング
５：駆動回転軸
８：芯軸部
９：外向き係合部
１０：孔
１１：ロール軸
１２：軸穴部
１３：内向き係合部
１４：繰出ロール
１５：仕切板
１６：蓋部材
１７：止め具
【図１】
2005080565.tif 000003